【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】  前輪及び後輪を具備したフレーム本体上に座席部を有し、該フレーム本体に対して相対的に後方傾倒可能に取り付けられる背部支持枠を備えたリクライニング可能な車椅子において、前記背部支持枠の中間部に回動自在に支持杆を枢着するとともに、一端部がフレーム本体に回動自在に枢着された作動杆の他端部を前記支持杆の中間部に枢支することにより、背部支持枠の後方傾倒操作に連動して支持杆が後輪後方床面近傍に突出するよう構成されたことを特徴とするリクライニング車椅子における転倒防止装置。
【請求項２】  上記支持杆の床面接地側端部に転動自在にローラーを枢着したことを特徴とする請求項１に記載のリクライニング車椅子における転倒防止装置。
【手続補正２】
【補正対象書類名】明細書
【補正対象項目名】０００６
【補正方法】変更
【補正の内容】
【０００６】
【課題を解決するための手段】
請求項１の発明は、前輪及び後輪を具備したフレーム本体上に座席部を有し、該フレーム本体に対して相対的に後方傾倒可能に取り付けられる背部支持枠を備えたリクライニング可能な車椅子において、前記背部支持枠の中間部に回動自在に支持杆を枢着するとともに、一端部がフレーム本体に回動自在に枢着された作動杆の他端部を前記支持杆の中間部に枢支することにより、背部支持枠の後方傾倒操作に連動して支持杆が後輪後方床面近傍に突出するよう転倒防止装置を構成したことを最も主要な特徴とする。
請求項２の発明は、上記転倒防止装置において支持杆の床面接地側端部に転動自在にローラーを枢着したことを特徴とする。
【手続補正３】
【補正対象書類名】明細書
【補正対象項目名】００１０
【補正方法】変更
【補正の内容】
【００１０】
１２，１２は前輪であり、前記縦パイプ６，６の下端に、当該縦パイプ６，６の軸心回りに旋回自在となるよう軸承されている。
１３，１３は後輪であり、前記側部フレーム７，７の後方下部に固着された取付プレート１４，１４に軸支されている。
【手続補正４】
【補正対象書類名】明細書
【補正対象項目名】００１１
【補正方法】変更
【補正の内容】
【００１１】
１５は背部支持枠であり、上側枠部１５ａが回動自在に枢着され、ハンドル１６，１６を具備した中間枠部１５ｂの下端部と下側枠部１５ｃの上端部とを軸着して折り畳み可能に設け、さらにこの軸着部には前記中間枠部１５ｂと下側枠部１５ｃとが一平面をなす状態で固定可能に固定手段１７，１７が設けられている。このように背部支持枠１５を折り畳み可能に構成することにより、収納時等コンパクトになり便利である。
【手続補正５】
【補正対象書類名】明細書
【補正対象項目名】００１２
【補正方法】変更
【補正の内容】
【００１２】
前記背部支持枠１５は、フレーム本体３の後部において起立状態から後方へ傾倒可能にリクライニング機構１８を介して支持されている。詳述すると、このリクライニング機構１８は、第１図に示すように、前記横パイプ１０に突設されるブラケット１９，１９と背部支持枠１５の下端部とを第１リンク２０，２０で連結し、また側部フレーム７，７のブラケット９，９の後方位置に固着されるブラケット２１，２１と背部支持枠１５の下端やや上方寄り位置に設けられるブラケット１５ｄ，１５ｄとを第２リンク２２，２２で連結してなる不等辺四節リンク機構とされている。
【手続補正６】
【補正対象書類名】明細書
【補正対象項目名】００１３
【補正方法】変更
【補正の内容】
【００１３】
前記リクライニング機構１８は次のように作用する。当該リクライニング機構１８は、第１図、第３図、第４図に示すように、第１リンク２０，２０の先端部が略々水平前方へ移動し、第２リンク２２，２２の先端部が前下方へ移動するように各リンク２０，２０，２２，２２を設定している。すなわち、背部支持枠１５がフレーム本体３に対して、下方へ引き込まれながら傾倒していくように作用する。逆に、背部支持枠１５を起立させるときは、当該背部支持枠１５がフレーム本体３に対して上方へ伸びながら起立していくように作用する。したがって、背部支持枠１５が使用者の背中に追従してリクライニングするようになり、背部支持枠１５と背中の擦れを軽減させる効果を有している。
【手続補正７】
【補正対象書類名】明細書
【補正対象項目名】００１４
【補正方法】変更
【補正の内容】
【００１４】
２３は伸縮固定装置を示し、適宜操作で伸縮可能かつ適所で固定可能となっており、本実施例ではガススプリングを用いている。そして、この伸縮固定装置２３は、一端をフレーム本体３の横パイプ８の左右中間部に突設されるブラケット２４，２４に枢着し、他端を前記左右の第１リンク２０，２０を一体的に連結する連結パイプ２５に突設されるブラケット２６に枢着し、この伸縮固定装置２３の伸縮作動により背部支持枠１５がリクライニングするように設けられている。また、伸縮固定装置２３を固定状態にすると、背部支持枠１５がそのリクライニング状態で保持されるようになっている。
【手続補正８】
【補正対象書類名】明細書
【補正対象項目名】００１５
【補正方法】変更
【補正の内容】
【００１５】
２７は脚部支持枠であり、上端を前記側部フレーム７，７の上側水平状部の前端に枢着して上下方向回動可能に設けている。そして、この脚部支持枠２７の下端には、ステップ２８，２８が軸着されている。
【手続補正９】
【補正対象書類名】明細書
【補正対象項目名】００１７
【補正方法】変更
【補正の内容】
【００１７】
前記支持プレート３２は、自重により通孔部３３の上側端面が支軸３５に沿って移動するようになっており、脚部支持枠２７を持ち上げると自動的に支軸３５が係合溝３３ａから３３ｂ、そして３３ｃ，３３ｄと順次係合していき、脚部支持枠２７の支持角度を段階的に変更させるようになっている。逆に元の状態に下降させるには、支持プレート３２に固着されたハンドル部材３６を持ち上げて支軸３５と係合溝３３ａ，３３ｂ，３３ｃ，３３ｄとの係合を解けばよい。このとき、脚部支持枠２７は上下回動自在な状態となる。
【手続補正１０】
【補正対象書類名】明細書
【補正対象項目名】００１８
【補正方法】変更
【補正の内容】
【００１８】
つぎに、転倒防止装置１について説明する。この転倒防止装置１は、背部支持枠１５の略々中間部に固着されている横パイプ３７の中間部に固着されているブラケット３８，３８に回動自在に枢着された支持杆３９を有している。該支持杆３９は上端部にボス部材３９ａが固着され、下端部にブラケット３９ｂが固着されたパイプ３９ｃからなるもので、該ブラケット３９ｂには転動自在なローラー４０が枢着され構成されている。
この支持杆３９を背部支持枠１５のリクライニングに連動して後方に突出させる作動杆４１がフレーム本体３と該支持杆３９に枢着されている。詳述すると、該作動杆４１は両端に空孔部４１ａ，４１ａが設けられたパイプ４１ｂからなるもので、横パイプ８の中間部に固着されたブラケット４２に一端部を回動自在に枢着し、他端部を前記支持杆３９の中間部に固着されたブラケット４３に枢着してなるものである。
【手続補正１１】
【補正対象書類名】明細書
【補正対象項目名】００１９
【補正方法】変更
【補正の内容】
【００１９】
上述の転倒防止装置１によれば、背部支持枠１５の後方傾倒に連動して作動杆４１が下方回動する。作動杆４１の下方回動及び背部支持枠１５の後方傾倒により、支持杆３９が後方下部に突出していく。なお。第１図に示す状態から第３図に示す状態まで、支持杆３９のローラー４０と床面との間に隙間があり、リクライニングをした状態で移動させる場合にも多少の段差を越えることが可能である。
また、それ以上の角度まで背部支持枠１５を傾倒させると床面とローラー４０間に隙間が少なくなり、リクライニングにともなって後方へ移動した重心によって後方へ転倒しやすくなる状態を十分保持できる状態にある。
さらに、該転倒防止装置１には次のような効果がある。それは、伸縮固定装置２３であるガススプリングのガス圧が比較的強いものを利用すると、リクライニング状態から復帰させる際には軽い操作力でできるが、逆に乗車していない状態でリクライニングさせようとすると前輪側が浮き上がり易くなりリクライニングさせにくくなるという欠点があった。しかし、本発明の転倒防止装置１により、支持杆３９が後方へ突出して床面を支持するので前輪側が浮き上がることなく楽にリクライニングさせることができる。これにより、ベッド上で仰臥した方を滑りやすい布状のシート等を利用して横方向にずらしてこの車椅子に載せかえることもでき、非常に至便である。
そして、この転倒防止装置１は、支持杆３９と作動杆４１によって主に構成されており、部品数を少なくすることができ、軽量な車椅子を提供することができる。
【手続補正１２】
【補正対象書類名】明細書
【補正対象項目名】００２０
【補正方法】変更
【補正の内容】
【００２０】
つぎに、第５図に示す車椅子２は上記と別の実施形態を示すものである。
この車椅子２は、上記リクライニング機構１８を用いず、フレーム本体３に背部支持枠１５を直接回動自在に枢着し、背部支持枠１５下方中間部とフレーム本体３の前方下部間に伸縮固定装置２３を連結固定したものである。その他については同様の構成である。
【手続補正１３】
【補正対象書類名】図面
【補正対象項目名】図１
【補正方法】変更
【補正の内容】
【図１】
2004154298.tif 000001
【手続補正１４】
【補正対象書類名】図面
【補正対象項目名】図２
【補正方法】変更
【補正の内容】
【図２】
2004154298.tif 000002
【手続補正１５】
【補正対象書類名】図面
【補正対象項目名】図５
【補正方法】変更
【補正の内容】
【図５】
2004154298.tif 000003